(57)【要約】【課題】草刈機の刃が当たってもプラスチック波付き管が損傷を受けないようにするためのプロテクタを提供する。【解決手段】プロテクタ１は、非磁性金属板を両側縁部が周方向にラップするように円筒状に成形した円筒状成形体２と、この円筒状成形体２の内周面に固定された、プラスチック波付き管の外周面の谷部に落ち込むストッパー３とから構成される。円筒状成形体２は、非磁性金属板の周方向の長さがプラスチック波付き管５の外周面の周長より大きく、プラスチック波付き管５に被せる前のフリーな状態での内径Ｄがプラスチック波付き管５の外径ｄ１より小さく設定されており、かつ外力を加えて両側縁をプラスチック波付き管５の外径ｄ１と同じかそれより少し大きく開いた後、プラスチック波付き管５に被せて外力を解除すると両側縁部が周方向にラップしてプラスチック波付き管５を締め付けるだけのバネ弾性を有している。【選択図】図１
2009106066.tif 000002
【特許請求の範囲】
【請求項１】
金属板を両側縁部が周方向にラップするように円筒状に成形した円筒状成形体と、この円筒状成形体の内周面に固定された、プラスチック波付き管の外周面の谷部に落ち込むストッパーとを備え、プラスチック波付き管に被せると両側縁部が周方向にラップしてプラスチック波付き管を締め付けることを特徴とするプラスチック波付き管用プロテクタ。
【請求項２】
前記円筒状成形体は、金属板の周方向の長さがプラスチック波付き管の外周面の周長より大きく、プラスチック波付き管に被せる前の外力が作用しない状態での内径がプラスチック波付き管の外径より小さくなるように設定されており、かつ外力を加えて両側縁をプラスチック波付き管の外径と同等またはそれより少し大きく開いた後、プラスチック波付き管に被せて、外力を解除すると両側縁部が周方向に締め付けるだけのバネ弾性を有していることを特徴とする請求項１に記載のプラスチック波付き管用プロテクタ。
【請求項３】
円筒状成形体の金属板として非磁性材を用いることを特徴とする請求項１又は２に記載のプラスチック波付き管用プロテクタ。
【請求項４】
地上に布設されたプラスチック波付き管に、請求項１記載のプロテクタを多数、長手方向に隣り合うプロテクタの端部がラップするように被せると共に、各プロテクタのストッパーをプラスチック波付き管の外周面の谷部に落ち込ませたことを特徴とするプラスチック波付き管の保護方法。
【請求項５】
プラスチック波付き管の曲がり部に位置するプロテクタは、ストッパーがプラスチック波付き管の曲がりの外側に位置するように被せられていることを特徴とする請求項４記載のプラスチック波付き管の保護方法。
【発明の詳細な説明】
【技術分野】
【０００１】
本発明は、地上に布設されたプラスチック波付き管が草刈機の刃などにより損傷を受けるのを防止するプラスチック波付き管用プロテクタと、それを用いたプラスチック波付き管の保護方法に関するものである。
【背景技術】
【０００２】
線路脇や道路脇などにケーブルを布設するときは、トラフ又はプラスチック波付き管を布設して、その中にケーブルを布設するのが一般的である（特許文献１、２参照）。プラスチック波付き管は可とう性があるため、直線部にも曲線部にも柔軟に対応できるが、トラフは堅固な直線状の部材であるため、曲線部に布設することが困難である。そこでトラフ布設ルートに曲線部がある場合には、直線部にはトラフを布設し、曲線部にはプラスチック波付き管を布設することで対応する場合が多い。
【０００３】
【特許文献１】特開平６−１２１４４０号公報
【特許文献２】特開２０００−１６１５４１号公報
【発明の開示】
【発明が解決しようとする課題】
【０００４】
トラフ間に布設されるプラスチック波付き管は地上に露出している場合が多い。また、線路脇などに布設されるプラスチック波付き管は、地中に埋設される場合と、地上に露出している場合とがある。プラスチック波付き管が地上に露出した状態にあると、その付近で草刈が行われたときに、草刈機の刃が当たって、プラスチック波付き管が損傷を受けるだけでなく、中のケーブルまで損傷を受けるおそれがあり、これらのケーブルを誤って切断した場合には、電力の供給や通信に障害をきたす恐れがある。例えば、信号機のケーブルなどを切断した場合には、列車事故につながる恐れがある。
【０００５】
本発明の目的は、草刈機の刃が当たってもプラスチック波付き管が損傷を受けないようにするためのプロテクタと、それを用いたプラスチック波付き管の保護方法を提供することにある。
【課題を解決するための手段】
【０００６】
本発明に係るプラスチック波付き管用プロテクタは、金属板を両側縁部が周方向にラップするように円筒状に成形した円筒状成形体と、この円筒状成形体の内周面に固定された、プラスチック波付き管の外周面の谷部に落ち込むストッパーとを備え、プラスチック波付き管に被せると両側縁部が周方向にラップしてプラスチック波付き管を締め付けることを特徴とするものである。
【０００７】
本発明に係るプラスチック波付き管用プロテクタの前記円筒状成形体は、金属板の周方向の長さがプラスチック波付き管の外周面の周長より大きく、プラスチック波付き管に被せる前のフリーな外力が作用しない状態での内径がプラスチック波付き管の外径より小さくなるように設定されており、かつ外力を加えて両側縁をプラスチック波付き管の外径に相当する間隔またはそれより少し大きい間隔まで開いた後、プラスチック波付き管に被せて外力を解除すると、両側縁部が周方向にラップして、プラスチック管を締め付けるだけのバネ弾性を有していることが好ましい。
【０００８】
本発明に係るプラスチック波付き管用プロテクタは、円筒状成形体の金属板として非磁性材を用いることが好ましい。このようにすることにより、本発明のプロテクターを通信ケーブル保護管でなく、電力ケーブル用保護管に適用したときに、発熱を防止することができ、通信ケーブル、電力ケーブルのいずれの場合にも有効なものとなる。
【０００９】
本発明に係るプラスチック波付き管保護方法は、地上に布設されたプラスチック波付き管に、上記のように構成されたプロテクタを多数、長手方向に隣り合うプロテクタの端部がラップするように被せると共に、各プロテクタのストッパーをプラスチック波付き管の外周面の谷部に落ち込ませたことを特徴とするものである。
【００１０】
本発明に係るプラスチック波付き管保護方法において、プラスチック波付き管の曲がり部に位置するプロテクタは、ストッパーがプラスチック波付き管の曲がりの外側に位置するように被せられていることが好ましい。
【発明の効果】
【００１１】
本発明に係るプロテクタは上記のような構成であるので、これを、プラスチック波付き管に被せておくことにより、草刈機の刃でプラスチック波付き管が損傷を受けるのを防止することができる。
【００１２】
また本発明に係るプロテクタは、バネ弾性を有する円筒状成形体の両側縁部を開いてプラスチック波付き管に被せるだけでプラスチック波付き管に取り付けることができるので、プラスチック波付き管への取付け作業を簡単に効率よく行うことができる。
【００１３】
また本発明に係るプロテクタは、円筒状成形体の内周面に固定したストッパーをプラスチック波付き管の外周面の谷部に落ち込ませることにより、プロテクタの長手方向への位置ずれを防止するので、長手方向に隣り合うプロテクタを端部がラップするように被せれば、プロテクタ間に隙間が発生するおそれがなく、プラスチック波付き管を確実に保護することができる。
【００１４】
また本発明に係るプロテクタは、円筒状成形体を磁性金属板で形成すると、プラスチック波付き管内に単心電力ケーブルが引き込まれている場合、ケーブルに流れる電流による磁界で円筒状成形体に渦電流が発生するが、円筒状成形体が非磁性金属板で構成されている場合は渦電流が発生するおそれはなく、円筒状成形体の発熱を防止することができる。
【発明を実施するための最良の形態】
【００１５】
図１は本発明に係るプラスチック波付き管用プロテクタの一実施形態を示す。このプロテクタ１は、矩形の非磁性金属板を両側縁部が周方向にラップするように円筒状に成形した円筒状成形体２と、この円筒状成形体２の内周面に固定された、プラスチック波付き管の外周面の谷部に落ち込むストッパー３とから構成されている。
【００１６】
円筒状成形体２の非磁性金属板としては厚さ０．５mm程度のステンレス鋼板を使用することが好ましい。この程度の厚さのステンレス鋼板を使用すれば、草刈機の刃が当たっても円筒状成形体２が破れるおそれがないことが実験で確認された。ストッパー３はプラスチック製で、図１（Ｃ）に示すように、アンカーリベット４（孔に挿入後に先端部を拡径するタイプ）により円筒状成形体２の内周面に固定されている。
【００１７】
円筒状成形体２の非磁性金属板の周方向の長さは、プラスチック波付き管５の外周面の周長より長いが、円筒状成形体２の内径Ｄは、プラスチック波付き管に被せる前のフリーな状態で、プラスチック波付き管５の外径ｄ１より小さく（プラスチック波付き管５の内径ｄ２（図２参照）と同程度に）設定されている。このため円筒状成形体２は、プラスチック波付き管に被せる前のフリーな状態で、図１（Ｂ）のように、非磁性金属板の両側縁部が半周程度ラップした状態となっている。また、円筒状成形体２は、図２（Ａ）に示すように、矢印Ｐ方向に外力を加えて両側縁をプラスチック波付き管５の外径ｄ１と同じかまたはそれより少し大きく開いた後、プラスチック波付き管に被せて外力を解除すると、同図（Ｂ）に示すように、両側縁部が周方向にラップしてプラスチック波付き管５を締め付けるだけのバネ弾性を有している。ここで、円筒状成形体２をプラスチック波付き管５の外径ｄ１と同じ間隔に開けば、円筒状成形体２をプラスチック波付き管５に被せることができるのは言うまでもないが、円筒状成形体２を外径ｄ１より少し大きく開けば、プラスチック波付き管５に非磁性金属板の両側縁部を接触させずに、円筒状成形体２を被せることができ、プラスチック波付き管５を傷つけることがないためより好ましい。ここでは、円筒状成形体２の両側縁部の開口寸法は、両側縁部を接触させずに被せることができれば良いので、プラスチック波付き管に被せて外力を解除したときに締め付け力が低下することがない範囲であれば、開口寸法を大きくしても問題はなく、開口寸法の上限は特に制限を設ける必要はない。
【００１８】
図３は上記のように構成されたプロテクタ１をプラスチック波付き管５に被せた状態を示す縦断面図である。円筒状成形体２は上記のようなバネ弾性を有しているためプラスチック波付き管５を軽く締付ける状態となり、かつストッパー３がプラスチック波付き管５の外周面の谷部に落ち込むため、プロテクタ１はプラスチック波付き管５に軸線方向に移動できないようにしっかりと取り付けられる。
【００１９】
図４は上記のプロテクタ１を用いたプラスチック波付き管保護方法の一実施形態を示す。この実施形態は直線状に布設されているプラスチック波付き管５を保護する場合で、プラスチック波付き管５に多数のプロテクタ１を隣り合うプロテクタの端部がラップするように被せると共に、各プロテクタ１のストッパー３をプラスチック波付き管５の外周面の谷部に落ち込ませたものである。このようにすれば、プラスチック波付き管５が周方向にも長手方向にもプロテクタ１によって覆われることになり、草刈機の刃が当たっても、プロテクタ１が多少傷つくだけで、プラスチック波付き管５が損傷を受けるおそれはなくなる。
【００２０】
図５は上記のプロテクタ１を用いたプラスチック波付き管保護方法の他の実施形態を示す。この実施形態は曲線状に布設されているプラスチック波付き管５を保護する場合である。図４のようにプラスチック波付き管が直線状に布設されている場合は、プロテクタのストッパーがプラスチック波付き管の周方向のどの位置にあっても差し支えない（プラスチック波付き管に対するプロテクタの周方向の位置は規制されない）が、図５のようにプラスチック波付き管５が曲線状に布設されている場合は、各プロテクタ１は、ストッパー３がプラスチック波付き管５の曲がりの外側に位置するように被せることが好ましい。隣り合うプロテクタ１の端部をラップさせることは図４の実施形態と同じである。ストッパーの取り付けは、接着やボルト締めなど公知の種々の方法を適用でき、通常プロテクタ１個につき１個で十分であるが、プラスチック波付き管の外周面の谷部に落ち込むような配置であれば、ストッパーを複数個取り付けることもできる。
【００２１】
ストッパー３がプラスチック波付き管５の曲がりの内側に位置するようにプロテクタ１を被せると、ストッパー３が波付き管５の谷部に落ち込む深さが浅くなり、プラスチック波付き管５の軸線方向にずれる可能性が高くなるが、図５のようにストッパー３をプラスチック波付き管５の曲がりの外側に位置させれば、ストッパー３のほぼ全体が波付き管５の谷部に落ち込むので、曲がり部においてもプロテクタ１の軸線方向のずれを確実に阻止することができる。
【図面の簡単な説明】
【００２２】
【図１】本発明に係るプラスチック波付き管用プロテクタの一実施形態を示す、（Ａ）は一部切開正面図、（Ｂ）は側面図、（Ｃ）は要部の横断面図。
【図２】（Ａ）は図１のプロテクタをプラスチック波付き管に被せる途中の状態を示す側面図、（Ｂ）は同じく被せた後の状態を示す側面図。
【図３】図１のプロテクタをプラスチック波付き管に被せた後の状態を示す縦断面図。
【図４】本発明に係るプラスチック波付き管保護方法の一実施形態を示す正面図。
【図５】本発明に係るプラスチック波付き管保護方法の他の実施形態を示す、（Ａ）は正面図、（Ｂ）は（Ａ）のＢ−Ｂ線拡大断面図。
【符号の説明】
【００２３】
１：プラスチック波付き管用プロテクタ
２：円筒状成形体
３：ストッパー
４：アンカーリベット
５：プラスチック波付き管
【図１】
2009106066.tif 000003
【図２】
2009106066.tif 000004
【図３】
2009106066.tif 000005
【図４】
2009106066.tif 000006
【図５】
2009106066.tif 000007